(57)【特許請求の範囲】
【請求項１】
ヒートシール性樹脂フィルムを有するシート材の長手方向の１辺が折り曲げられ、該長手方向の１辺に平行な長手方向の他辺部を第１ヒートシールにより封止されて前シート部と後シート部が互いに対向して連続しているとともに、長手方向の一端部を幅方向に延在する第２ヒートシールにより封止して長手方向の他端部に開口部を開設し、
前記第１ヒートシールにおける長手方向中央部およびその付近を長手方向にのびる長円形に切り抜いて手提げ孔が設けられ、
前記第２ヒートシールから少し開口部側に離間した位置には、第２ヒートシールに平行で開閉自在な閉止手段が幅方向に延在して設けられ、
前記閉止手段は、前シート部のヒートシール性樹脂フィルムと後シート部のヒートシール性樹脂フィルムの一方に幅方向に延在して熱圧着されて突出する樹脂製の凸条部と、前記各ヒートシール性樹脂フィルムの他方に幅方向に延在して熱圧着されて前記凸条部を抜脱可能に嵌合する樹脂製の嵌合溝部とからなることを特徴とする米袋。
【請求項２】
請求項１に記載の米袋において、
前記シート材は、表側の和紙と、この和紙の裏側にラミネートされたヒートシール性樹脂フィルムとの複合層からなることを特徴とする米袋。
【発明の詳細な説明】
【技術分野】
【０００１】
本発明は、米袋に係り、詳しくは、自宅での使用性および携行時の安全性を向上させた米袋に関するものである。
【背景技術】
【０００２】
従来の米袋として、たとえば特許文献１に記載のものが提案されている。この特許文献１に記載の米袋を図６に示す。この図において、米袋５０は、長手方向の寸法Ｌが幅方向の寸法Ｗよりも十分に大きい長方形を呈するポリエチレン樹脂製フィルムやポリプロピレン樹脂製フィルムからなる前パネル５１と後パネル５２とを重ね合わせ、その長手方向の両辺部を側縁シール５３により封止し、長手方向の一端部側は、長手方向に所定の間隔を有して幅方向に延在する下口元シール５４と、上口元シール５５および補強シール５６によって封止して、長手方向の他端部に開口部５７を開設するとともに、下口元シール５４と上口元シール５５の間に手提げ孔５８を設けたものである。
【０００３】
前記構成の米袋５０によれば、開口部５７を上に向けて所定量の米を充填した後、幅方向に延在する底シール５９により開口部５７を封止することで米袋５０内に米を封入してスーパマーケットや米販売店の店頭に陳列して販売に供することができ、購入者は手提げ孔５８を利用して携行することができる。
【０００４】
【特許文献１】特開２００８−２４３５２号公報
【発明の開示】
【発明が解決しようとする課題】
【０００５】
ところが、前記特許文献１に記載の米袋５０では、自宅で米袋５０内の米を取り出す場合、米袋５０の前パネル５１と後パネル５２とを下口元シール５４の近傍に平行して描いた一点鎖線Ｃに沿って全てを切断して米袋５０の長手方向の一端部を大きく切り開くか、あるいは一点鎖線Ｃにおけるｗで示す一部を切断して米袋５０の長手方向の一端部を小さく切り開く煩雑な作業を必要とする。しかも、前記の切り開き口を利用してストッカーに米の全量を投入する作業が困難であるため、米袋５０内に米が残存する場合や、当初より切り開き口から炊飯に必要な量の米を小出しする場合などでは、米袋５０内に残存している米の変質劣化を防ぐために切り開き口をクリップなどで密封する煩雑な手間が必要になるので、自宅での使用性に劣る。
【０００６】
一方、手提げ孔５８は、幅方向の寸法Ｗよりも十分に大きい長手方向の一端部側に設けられているため、米袋５０は寸法Ｌの大きい長手方向を上下に指向した状態で携行されることになる。そのため、携行時における米袋５０の揺動振幅が大きくなるので携行し辛いばかりか、米袋５０の下端からスーパマーケットや米販売店の通路あるいは自宅の床までの間隔が小さいので、通路あるいは床に目視し難い障害物が存在していていると、この障害物に誤って米袋５０が衝突して破損し、封入されている米がこぼれ落ちて飛散するおそれを有しており、携行時の安全性に劣る。
【０００７】
本発明は、このような問題を解決するものであって、その目的とするところは、米を取り出す開口部の形成および残存する米の変質劣化を防ぐための前記開口部の封止が容易になされて自宅での使用性を向上させるとともに、携行が容易であり、かつ携行時における下端から路面や床面までの間隔を大きく確保して、路面や床面に存在している目視し難い障害物との衝突を回避することで携行時の安全性を向上させることができる米袋を提供することにある。
【課題を解決するための手段】
【０００８】
前記目的を達成するために、本発明に係る米袋は、ヒートシール性樹脂フィルムを有するシート材の長手方向の１辺が折り曲げられ、該長手方向の１辺に平行な長手方向の他辺部を第１ヒートシールにより封止されて前シート部と後シート部が互いに対向して連続しているとともに、長手方向の一端部を幅方向に延在する第２ヒートシールにより封止して長手方向の他端部に開口部を開設し、
前記第１ヒートシールにおける長手方向中央部およびその付近を長手方向にのびる長円形に切り抜いて手提げ孔が設けられ、
前記第２ヒートシールから少し開口部側に離間した位置には、第２ヒートシールに平行で開閉自在な閉止手段が幅方向に延在して設けられ、
前記閉止手段は、前シート部のヒートシール性樹脂フィルムと後シート部のヒートシール性樹脂フィルムの一方に幅方向に延在して熱圧着されて突出する樹脂製の凸条部と、前記各ヒートシール性樹脂フィルムの他方に幅方向に延在して熱圧着されて前記凸条部を抜脱可能に嵌合する樹脂製の嵌合溝部とからなることを特徴としている。
【０００９】
これによれば、長手方向の他端部に開設した開口部を上に向けて所定量の米を充填することができ、かつ、該開口部を幅方向に延在する第３ヒートシールにより封止することで米袋内に米を封入してスーパマーケットや米販売店の店頭に陳列して販売に供するものである。
【００１０】
上記のように本発明に係る米袋は、前記所定量の米を充填するための開口部を、開閉自在な閉止手段を設けている長手方向の一端部と対向する長手方向の他端部に、開設されている。
したがって、樹脂製の凸条部と、前記凸条部を抜脱可能に嵌合する樹脂製の嵌合溝部とからなる複雑な構造を有する前記開閉自在な閉止手段が、前記所定量の米を充填するための開口部と対向する別の部位に形成することができるのものである。
【００１１】
また、自宅では、第２ヒートシールと閉止手段の間を幅方向の全長にわたって切断して閉止手段を視認可能位置に臨ませ、この閉止手段を開くことで米を取り出す開口部が形成され、開いた閉止手段を閉じることで米を取り出す開口部が封止されて、残存する米の変質劣化を防ぐことができるので自宅での使用性が向上する。
【００１２】
さらに、本発明に係る米袋は、前記閉止手段を、前シート部のヒートシール性樹脂フィルムと後シート部のヒートシール性樹脂フィルムの一方に幅方向に延在して熱圧着されて突出する樹脂製の凸条部と、前記各ヒートシール性樹脂フィルムの他方に幅方向に延在して熱圧着されて前記凸条部を抜脱可能に嵌合する樹脂製の嵌合溝部とで構成している。これによると、嵌合溝部から凸条部を抜脱する簡単な操作によって、米を取り出すための開口部を形成することができ、嵌合溝部に凸条部を嵌合する簡単な操作によって、前記開口部を封止することができる。
【００１３】
また、本発明に係る米袋の手提げ孔は、シート材の長手方向の１辺を折り曲げ、該長手方向の１辺に平行な長手方向の他辺部に形成する第１ヒートシールに、前記第１ヒートシールの長手方向中央部およびその付近を長手方向にのびる長円形に切り抜いて設けている。
したがって、この米袋を持ち運びするに際しては、この第１ヒートシールの長手方向中央部およびその付近を長手方向にのびる長円形の手提げ孔に手指を入れて米袋を携行することができる。
【００１４】
また、この米袋は寸法の大きい長手方向を横に指向した状態で携行されることになることから、携行時における米袋の揺動振幅が小さく抑制されるので携行が容易になる。しかも、米袋の下端から路面や床面までの間隔を大きく確保できるので、路面や床面に目視し難い障害物が存在していても、この障害物との衝突を回避できるから携行時の安全性が向上する。
【００１５】
また、本発明に係る米袋は、前記シート材を、表側の和紙と、この和紙の裏側全面にラミネートされたヒートシール性樹脂フィルムとの複合層で構成することが好ましい。これによると、表側の和紙によって和紙独特の優雅な雰囲気を醸しだして米袋の見栄えを大幅に向上させることができるとともに、充填されている米の変質劣化は、ヒートシール性樹脂フィルム独自の非通気性によって防止することができる。
【発明の効果】
【００１６】
本発明に係る米袋によれば、米を取り出す際に利用する開口部の形成および残存する米の変質劣化を防ぐための開口部の封止が容易になされるので、自宅での使用性が向上するとともに、携行が容易であり、かつ携行時における下端から路面や床面までの間隔を大きく確保して、路面や床面に存在している目視し難い障害物との衝突を回避することで携行時の安全性を向上させることができる。
【発明を実施するための最良の形態】
【００１７】
以下、本発明の好ましい実施形態を図面に基づいて説明する。
図１は本発明の実施形態を示す正面図、図２は図１のＩＩ−ＩＩ線に沿う断面図、図３は図１のＩＩＩ−ＩＩＩ線に沿うチヤックの嵌合状態を示す断面図、図４はチヤックの開き状態を示す断面図である。
【００１８】
図１〜図４において、米袋１は、長手方向の寸法Ｌが幅方向の寸法Ｗよりも十分に大きい長方形を呈する表側の和紙２と、この和紙２の裏側全面にラミネートされたポリエチレン樹脂製フィルムやポリプロピレン樹脂製フィルムなどのヒートシール性樹脂フィルム３との複合層からなるシート材４によって構成されており、その長手方向の１辺５が折り曲げられ、該長手方向の１辺５に平行な長手向の他辺部６を第１ヒートシール７により封止することで、前シート部８と後シート部９が連続して互いに対向しているとともに、長手方向の一端部を幅方向に延在する第２ヒートシール１０により封止して、長手方向の他端部に開口部１１を開設している。そして、前シート部８の表面に米の銘柄などが表示され、後シート部９表面に精米所名などが表示される。
【００１９】
一方、プレス加工により第１ヒートシール７における長手方向中央部およびその付近を長手方向にのびる長円形に切り抜いて手提げ孔１２が設けられ、第２ヒートシール１０から少し開口部１１側に離間した位置には、第２ヒートシール１０に平行で開閉自在な閉止手段１３が幅方向に延在して設けられている。
【００２０】
前記開閉自在な閉止手段１３は、ヒートシール性樹脂フィルム３に熱圧着された樹脂によって成形されており、前シート部８のヒートシール性樹脂フィルム３に熱圧着されて後シート部９に向けて突出する凸条部１３ａと、後シート部９のヒートシール性樹脂フィルム３に熱圧着されて凸条部１３ａを抜脱可能に嵌合する嵌合溝部１３ｂとを備え、常時は、図３のように凸条部１３ａが嵌合溝部１３ｂに抜脱可能かつ気密に嵌合して閉じられている。
【００２１】
前記構成によれば、図１の長手方向の他端部に開設した開口部１１から所定量の米を充填した後、該開口部１１を幅方向に延在する第３ヒートシール１４により封止することで米袋１内に米を封入してスーパマーケットや米販売店の店頭に陳列して販売に供することができる。そして、購入者は手提げ孔１２を利用して携行することができる。
【００２２】
また、前記構成によれば、前記所定量の米を充填するための開口部１１が、開閉自在な閉止手段１３を設けている長手方向の一端部と対向する長手方向の他端部に、開設されている。
したがって、樹脂製の凸条部１３ａと、前記凸条部１３ａを抜脱可能に嵌合する樹脂製の嵌合溝部１３ｂとからなる複雑な構造を有する前記開閉自在な閉止手段１３が、前記所定量の米を充填するための開口部１１と対向する別の米袋の部位に形成することができるのものである。
【００２３】
一方、購入者の自宅では、図５に示すように、第２ヒートシール１０を上側に位置させ、第３ヒートシール１４を下側に位置させた上下の反転姿勢で米袋１を床面などに起立させたのち、第２ヒートシール１０と閉止手段１３の間を一点鎖線Ｃに沿って全てを切断して、第２ヒートシール１０を除去することによって閉止手段１３を目視可能位置に臨ませ、この閉止手段１３を図４のように開くことで米を取り出す開口部１５が形成され、開いた閉止手段１３を図３のように閉じることで前記開口部１５が封止されて、米袋１内に残存する米の変質劣化を防ぐことができる。
特に、凸条部１３ａと、この凸条部１３ａを抜脱可能に嵌合する嵌合溝部１３ｂとを備えた樹脂製の閉止手段１３は、嵌合溝部１３ｂから凸条部１３ａを抜脱する簡単な操作によって、米を取り出すための開口部１５を形成することができ、嵌合溝部１３ｂに凸条部１３ａを嵌合する簡単な操作によって、前記開口部１５を封止することができるので自宅での使用性が向上する。
【００２４】
他方、手提げ孔１２は、シート材の長手方向の１辺部５を折り曲げ、該長手方向の１辺５に平行な長手方向の他辺部６に形成する第１ヒートシール７に、前記第１ヒートシール７の長手方向中央部およびその付近を長手方向にのびる長円形に切り抜いて設けている。
したがって、この米袋を持ち運びするに際しては、この第１ヒートシール７の長手方向中央部およびその付近を長手方向にのびる長円形の手提げ孔１２に手指を入れて米袋を携行することができる。
【００２５】
また、第１ヒートシール７における長手方向中央部およびその付近を長手方向にのびる長円形に切り抜いて設けられているので、長手向の寸法Ｌが幅方向の寸法Ｗよりも大きい通常の米袋１であると、この米袋１は寸法の大きい長手方向Ｌを横に指向した状態で携行されることになる。したがって、携行時における米袋１の揺動振幅が小さく抑制されるので携行が容易になる。しかも、米袋１の下端から路面や床面までの間隔を大きく確保できるので、路面や床面に目視し難い障害物が存在していても、この障害物との衝突を回避できるから携行時の安全性が向上する。
【００２６】
また、米袋１は、表側の和紙２によって和紙独特の優雅な雰囲気を醸しだして見栄えを大幅に向上させることができるとともに、充填されている米の変質劣化は、ヒートシール性樹脂フィルム３の非通気性によって防止することができる。
【００２７】
特に、楮などの和紙の原料、清水およびネリなどからなる紙料液に、藁（詳しくは稲藁）の短繊維を所定の比率で混合して、これを均等に分布させた和紙を抄造し、この和紙を表側に配したシート材４で米袋１を構成すれば、藁の短繊維を視認できるので、米袋１に充填されている商品（米）は稲から取り入れられていることを購入者の視覚に訴えて、米生成の再確認を促すことができる。
【図面の簡単な説明】
【００２８】
【図１】本発明の実施形態を示す正面図である。
【図２】図１のＩＩ−ＩＩ線に沿う断面図である。
【図３】図１のＩＩＩ−ＩＩＩ線に沿うチヤックの嵌合状態を示す断面図である。
【図４】チヤックの開き状態を示す断面図である。
【図５】米を充填した状態を示す正面図である。
【図６】前パネルの一部を破断した従来例の正面図である。
【符号の説明】
【００２９】
１  米袋
２  和紙
３  ヒートシール性樹脂フィルム
４  シート材
５  長手方向の１辺
６  長手方向の他辺部
７  第１ヒートシール
８  前シート部
９  後シート部
１０  第２ヒートシール
１１  開口部
１２  提げ手孔
１３  閉止手段
１３ａ  閉止手段の凸条部
１３ｂ  閉止手段の嵌合溝部
【図１】
0005069614.tif 000002
【図２】
0005069614.tif 000003
【図３】
0005069614.tif 000004
【図４】
0005069614.tif 000005
【図５】
0005069614.tif 000006
【図６】
0005069614.tif 000007